(57)【要約】  【課題】  本発明の目的は、犬の顔や耳に温風を吹きかけず、小型犬から大型犬まで使用可能であって小型な犬の乾燥機１を提供することにある。  さらに、施設の汚れを防止すると共に、犬同士の触れあいにより病気やばい菌などが移ることを防止した犬の複合施設７を提供することにある。  【解決手段】  複数の吹出口１２ａ、１２ｂを有する犬室１０と、空気室１３、犬が顔を外に出すための首穴１１ｋを有する扉１１と、ヒータ１７、送風機１６及びファン１４ａを有する排気ダクト１４などからなる犬の乾燥器１とする。  そして、大穴１１ｅを有する本体板１１ｄ、中穴１１ｇを有する中間板１１ｆ及び小穴１１ｊを有する外板１１ｈとで扉１１を構成する。  さらに、そのような犬の乾燥機１を有する犬の洗浄設備２、犬の洗浄設備２を単数又は複数並べた犬の洗浄施設３と、犬の運動施設４、犬の宿泊施設５、トリミング施設６とを有する犬の複合施設７とする。【選択図】              図１
2006034181.tif 000002
【特許請求の範囲】
【請求項１】
犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機であって、
前記犬室に犬を出入りさせるための扉を設け、前記扉は本体板、中間板及び外板を有するものとし、前記本体板に大穴を、前記中間板に中穴を、前記外板に小穴をそれぞれ設け、大穴の高さ＞中穴の高さ＞小穴の高さ、の関係になるように構成し、
前記本体板、前記中間板及び前記外板を重ねて取り付け、また、前記中間板及び外板を上下方向に移動可能に取り付け、さらに、前記大穴、前記中穴及び前記小穴が重なる位置において、前記中間板と前記外板とを位置決め可能な構成とし、前記大穴、前記中穴及び前記小穴が重なってできる穴を前記首穴としたことを特徴とする犬の乾燥機。
【請求項２】
請求項１に記載した犬の乾燥機において、中穴を上部の概略半円弧と下部の概略半円弧及び前記上下２個の概略半円弧を結ぶ２本の直線とで区画した穴とし、さらに小穴を円形の穴としたことを特徴とする犬の乾燥機。
【請求項３】
請求項２に記載した犬の乾燥機において、中穴の上部の概略半円弧の半径＞中穴の下部の概略半円弧の半径、の関係になるように構成したことを特徴とする犬の乾燥機。
【請求項４】
請求項３に記載した犬の乾燥機において、中穴の上部の概略半円弧の半径を８０〜１１０ｍｍとし、中穴の下部の概略半円弧の半径を６０〜８０ｍｍとしたことを特徴とする犬の乾燥機
【請求項５】
請求項１乃至請求項４のいずれかに記載した犬の乾燥機において、大穴の高さを５００〜７５０ｍｍ、中穴の高さを３２０〜４４０ｍｍ、小穴の高さ又は小穴の直径を１６０〜２２０ｍｍにしたことを特徴とする犬の乾燥機。
【請求項６】
請求項１乃至請求項５のいずれかに記載した犬の乾燥機において、犬室を概略８角形の断面形状を有するものとし、前記概略８角形の１面を床面とし前記床面の対辺を天井面として、前記天井面にファンを有する排気ダクトを取り付け、
さらに、前記天井面以外の面に吹出口等を設け、前記吹出口等を設けた面の外側に空気室を設け、前記空気室に温風を送風するようにしたことを特徴とする犬の乾燥機。
【請求項７】
犬の洗台とシャワーとを有する犬の洗場と、請求項１乃至請求項６のいずれかに記載した犬の乾燥機とを有する犬の洗浄設備。
【請求項８】
請求項７に記載した犬の洗浄設備を単数又は複数並べてなる犬の洗浄施設と、犬を運動させたり遊ばせる広場を有する犬の運動施設とからなる犬の複合施設。
【請求項９】
請求項７に記載した犬の洗浄設備を単数又は複数並べてなる犬の洗浄施設と、犬を宿泊させる施設である犬の宿泊施設とを有する犬の複合施設。      
【請求項１０】
請求項７に記載した犬の洗浄設備を単数又は複数並べてなる犬の洗浄施設と、犬の毛を刈り込んで形よくする施設である犬のトリミング施設とを有する犬の複合施設。
【請求項１１】
請求項７に記載した犬の洗浄設備を単数又は複数並べてなる犬の洗浄施設と、犬の運動施設、犬の宿泊施設及び犬のトリミング施設とを有する犬の複合施設。
【発明の詳細な説明】
【技術分野】
【０００１】
本発明は、犬を洗った後に濡れた犬を乾かすための犬の乾燥機、犬の乾燥機を有する犬の洗浄設備、及び、犬の洗浄設備を単数又は複数有する犬の洗浄施設を中心として、犬の運動施設や、犬の宿泊施設や、トリミング施設などを併設した犬の複合施設に関する。
【背景技術】
【０００２】
従来、犬を洗う場合、犬に水をかけて濡らした後に洗剤をかけ、人が手やブラシなどを使って毛を掻いたり梳いたりしながら洗い、その後にシャワーをかけて洗剤を流し、さらにドライヤーなどを使用して濡れた犬を乾かしていた。
かかる作業は、犬が大型の場合ほど、犬を洗う人間に重労働を課すもので、特に濡れた毛を乾かす手間と時間が過大であった。
また従来、洗浄室内に格納した犬に洗剤を吹き付けた後に、シャワーで水をかけて洗剤を流し、その後、温風により濡れた犬を乾燥させる犬用の洗浄・乾燥機があった。
しかしかかる犬用の洗浄・乾燥機は、犬の毛を掻いたり梳いたりしする作用がないため洗剤は毛の奥で泡立つことはなく、洗いが不十分となる問題を有していた。さらに、毛の間にしみ込んだ洗剤はシャワーで水をかけただけでは容易に流れないので、洗剤が毛の間に残る問題を有していた。
また、犬は顔や耳に温風を受けることを避け部屋の隅に逃げ込んでしまうため、温風により犬を乾かす効率が悪くエネルギーの消費が過大になる問題と、完全に犬を乾燥させることができない問題を有していた。
さらに、犬は瞬きをしないため、犬の顔に温風を吹き付けると目が乾燥してしまい、犬が目の病気を罹患し易すくなる問題があった。また、犬の鼻が乾燥すると鼻の中の粘膜や肺を乾燥させてしまい、犬が鼻や肺の病気を罹患し易すくなる問題も有していた。
そこで、犬が外に顔を出すことを可能とした首穴であって、上下方向に移動可能な首穴を有する犬の乾燥機を考えてみたが、犬には小さな小型犬から大きな大型犬まで多種類あって、小型犬から大型犬まで外に顔を出すことのできる首穴を得るためには、長大な穴とこれを塞ぐ大きな蓋が必要となるため、装置が大きくなる問題を有していた。
また従来には、犬の洗浄施設と犬の運動施設を組合わせた犬の複合施設はなかった。また、犬の洗浄施設と犬の宿泊施設を組合わせた犬の複合施設もなかった。さらに、犬の洗浄施設と犬のトリミング施設を組合わせた犬の複合施設もなかった。
犬の運動施設、犬の宿泊施設及び犬のトリミング施設は、共に多数の犬が集まる施設であるが、これらの施設では、犬同士の接触により病気や虫などが移る問題や、施設自体が汚れやすく清潔な環境を保つことが困難となる問題を有していた。
【発明の開示】
【発明が解決しようとする課題】
【０００３】
本発明は、上記した従来技術の有する欠点を除くためになされたもので、その目的とするところは、効率的に犬を乾かすことを可能とした犬の乾燥機を提供することにより、犬を洗う人間の手間と作業時間の軽減をはかることにある。
また他の目的は、犬が部屋の隅に逃げ込んでしまうことを防止した犬の乾燥機であって、犬が床に座り込んだり床に伏せたりたりした場合にも効率よく温風を犬に吹き付け、完全に犬を乾燥させることを可能とした犬の乾燥機を提供することにある。
また他の目的は、犬の顔や耳に温風のかかることを防止した犬の乾燥機とすることにより、犬が目の病気や鼻や肺の病気に罹患する危険性をなくした、犬の乾燥機を提供することにある。
また他の目的は、小型の扉であって、小型犬から大型犬まで外に顔を出すことのできる首穴を有する犬の扉、及びそのような扉を有する犬の乾燥機を提供することにある。
また他の目的は、犬の洗浄施設と犬の運動施設を組合わせた犬の複合施設、犬の洗浄施設と犬の宿泊施設を組合わせた犬の複合施設、犬の洗浄施設とトリミング施設を組合わせた犬の複合施設などを提供することにより、清潔な犬だけを犬の運動施設、犬の宿泊施設及び犬のトリミング施設に受け入れることを可能とした犬の複合施設を提供することにある。
【課題を解決するための手段】
【０００４】
本発明は、犬が顔を外に出した状態で犬の首、胴体、足及び尾に温風を吹き付けることを可能とした犬の乾燥機として、犬の顔や耳に温風をかけず、かつ、温風の吹き付けを最も効率的に受ける位置に、犬を静止させることを可能とした犬の乾燥機とする。
また、大穴を有する本体板、中穴を有する中間板及び小穴を有する外板を重ねた扉を設け、中間板及び外板を上下方向に移動可能に取り付け、大穴、中穴及び小穴が重なる任意の位置で位置決め可能な構成とすることにより、大穴、中穴及び小穴が重なってできる穴を首穴とした犬の乾燥機とする。
そして、そのような犬の乾燥機を有する犬の洗浄設備、さらには、前記犬の洗浄設備を単数又は複数並べた犬の洗浄施設と犬の運動施設とを有する犬の複合施設、犬の洗浄施設と犬の宿泊施設とを有する犬の複合施設、犬の洗浄施設とトリミング施設とを有する犬の複合施設などとする。
【発明の効果】
【０００５】
本発明は上記のように、温風の吹き付けを最も効率的に受ける位置に犬を静止させることを可能とした犬の乾燥機としたので、犬の乾燥のための熱エネルギーの消費を軽減し、乾燥時間を短縮し、さらに完全に犬を乾燥させることを可能とした犬の乾燥機を提供することができた。
また、犬の顔に温風を吹き付けることのない構成としたので、犬の目や鼻が乾燥することはなく、犬が目や鼻や肺の病気を罹患する問題もなくなった。
特に、本体板の大穴をスライド可能な中間板で蓋をして、中間板の中穴をスライド可能な外板で蓋をして、大穴と中穴及び小穴の重なってできる穴を首穴としたので、小型犬から大型犬まで使用できるよう首穴の高さを調整することが可能であって、小型な犬の乾燥機を提供することができた。
さらに、以上のような犬の洗浄設備を使用して洗浄した犬だけを犬の運動施設、犬の宿泊施設、犬のトリミング施設に受け入れることを可能としたので、これらの施設における犬同士の接触により病気や虫などが移る問題や、施設自体が汚れやすく清潔な環境を保てにくい問題をなくすことができた。
【発明を実施するための最良の形態】
【０００６】
請求項１の発明は、犬を格納可能な犬室と、犬が外に顔を出すことを可能とした首穴と、前記犬室に格納した犬に向けて配置した複数の吹出口又はノズル（以下単に「吹出口等」という。）と、前記複数の吹出口等に空気を送風する送風機と、前記送風機で送風する空気を温風に加熱するヒータとを有する犬の乾燥機とする。
また、前記犬室に犬を出入りさせるための扉を設け、前記扉は本体板、中間板及び外板を有するものとし、前記本体板に大穴を、前記中間板に中穴を、前記外板に小穴をそれぞれ設け、大穴の高さ＞中穴の高さ＞小穴の高さ、の関係になるようにする。
そして前記中間板、前記外板及び前記外板を重ねて取り付け、前記中間板及び外板を上下方向に移動可能に取り付け、さらに、前記大穴、前記中穴及び前記小穴が重なる位置において、前記中間板と前記外板とを位置決め可能な構成とし、前記大穴、前記中穴及び前記小穴が重なってできる穴を前記首穴とした犬の乾燥機とする。
本発明は、扉に首穴を設けることにより犬室の構成を単純なものとするとともに、扉の外に立つ飼い主に触れ合おうとする犬の習性を利用して、犬が自然に首穴から顔を出すようにし向けたものである。さらに小型の乾燥機であって、小型犬から大型犬まで使用できるよう、首穴の高さを調整することを容易にした乾燥機としたものである。
このため、吹出口等は犬が首穴から外に顔を出した状態において、犬の首、胴、足及び尾の全体に対して温風を吹き付けるよう上方、側方、下方の全方向から温風を吹き付けるよう配置することが好ましい。
また、犬との距離が近い場合は単に吹出口を設ける構成が好ましく、犬との距離が遠い場合はノズルを設けて温風を噴出させ、遠くまで温風を送風させる構成が好ましい。
吹出口等に温風を送風する構成としては、送風機で大気を吸引し吸引した空気をヒータを通過させ加熱して吹出口等に送る構成と、予めヒータで温風にした空気を送風機で吸引して吹出口等に送る構成と、さらには予めヒータで温風にした空気をさらに他のヒータを通過させて吹出口等に送る構成とが考えられる。
ヒータとしては、電熱式のヒータ、ガスや固形燃料を燃焼させる燃焼ヒータ、温水ヒータ、ボイラーや炉などの廃熱を利用したヒータ、太陽熱を利用したヒータなど考えられ、とくにその構成についてこだわるものではない。
請求項２の発明は、請求項１に記載した犬の乾燥機において、中穴を上部の概略半円弧と下部の概略半円弧及び前記上下２個の概略半円弧を結ぶ２本の直線とで区画した穴とし、さらに小穴を円形の穴とした犬の乾燥機とする。
中穴の上部の概略半円弧の半径は小穴の半径より小さくしないことが好ましい。上部において中穴と小穴とが重なってできる首穴のサイズを小穴と同じ寸法にして、なるべく犬の首との間にできる隙間を最小の開口とするためである。
請求項３の発明は、請求項２に記載した犬の乾燥機において、中穴の上部の概略半円弧の半径＞中穴の下部の概略半円弧の半径、の関係になるようにした犬の乾燥機とする。
下部の概略半円弧の半径を小さなものとすることにより、下部に首を出すのは小型犬であって上部に首を出すのは大型犬であるという状況に合わせ、首穴の位置を下部に調整した場合に開口の面積を小さくした首穴とするためである。
【０００７】
請求項４の発明は、請求項３に記載した犬の乾燥機において、中穴の上部の概略半円弧の半径を８０〜１１０ｍｍとし、中穴の下部の概略半円弧の半径を６０〜８０ｍｍとした犬の乾燥機とする。
大型犬の首穴としては直径１６０〜２２０ｍｍの円形に近い穴が、小型犬の首穴としては直径１２０〜１６０ｍｍの円形に近い穴がそれぞれ好ましいからである。
請求項５の発明は、請求項１乃至請求項４のいずれかに記載した犬の乾燥機において、大穴の高さを５００〜７５０ｍｍ、中穴の高さを３２０〜４４０ｍｍ、小穴の高さ又は小穴の直径を１６０〜２２０ｍｍにした犬の乾燥機とする。
大型犬の首穴としては直径１６０〜２２０ｍｍの円形に近い穴が好ましく、小型犬と大型犬の首穴の中心位置の高さ調整寸法は３００〜５５０ｍｍが好ましい。そして、この範囲に直径２００ｍｍの穴を開口させるためには、大穴の高さを５００〜７５０ｍｍとすることが好ましいからである。
請求項６の発明は、請求項１乃至請求項５のいずれかに記載した犬の乾燥機において、犬室を概略８角形の断面形状を有するものとし、前記概略８角形の１面を床面とし前記床面の対辺を天井面として開口を設け、また前記天井面にファンを有する排気ダクトを取り付ける。さらに前記天井面以外の面に吹出口等を設け、前記吹出口等を設けた面の外側に空気室を設け、前記空気室に温風を送風するようにした犬の乾燥機とする。
犬室の下部を犬が４つ足で立ったり、伏せたりするスペースを有する床面と、床面と両端で屈折して連なる２枚の下部傾斜面とで構成し、犬を犬室の側面近くに近づかせず中央に居させることにより、温風を効率よく犬に吹き付けるようにしたものである。
また、床面には吹出口を取り付けることが好ましい、犬が床に座ったり伏せた場合に床面に接触した部位を乾燥させるためである。また床面と犬との距離は比較的近いため、ノズルを取り付ける必要はないからである。
また、首穴を構成する本体板の内側近傍であって本体板と平行な面内に、多数の吹出口等又は複数の長細い吹出口等を設けることが好ましい。犬の首に向かって温風を集中して吹き付けることにより、犬の首を乾かすとともに首穴の内側にエアーカーテンを構成して、外気や内気が首穴を通って流入出することを可能な限り防ぐためである。
排気ダクトに取り付けたファンの機能は、犬室の中の空気を犬室外に排出して、犬室内の空気圧を大気圧と同程度に保ち、可能な限り首穴を通しての外気と内気の流入出を防止する機能を有するものが好ましい。
犬室を概略８角形の断面として、排気ダクトを取り付けた面以外の面にそれぞれ吹出口等を取り付けると、犬の全体に効率よく温風を吹き付けるよう吹出口等を配置することが可能となり、また単純で製作容易な構成の犬室とすることができるからである。
【０００８】
請求項７の発明は、犬の洗台とシャワーとを有する犬の洗場と、請求項１乃至請求項６のいずれかに記載した犬の乾燥機とを有する犬の洗浄設備とする。
犬と飼い主がスキンシップを図りつつ確実な犬の洗浄を可能とし、濡れた犬を乾燥させる手間と時間を軽減させるため、犬の洗場と犬の乾燥機とを組み合わせた犬の洗浄設備としたものである。
犬の洗台は犬を載せて洗うためのものである。このため、洗剤や水を回収する機能を有するものとする。夏場は普通のシャワーでよいが、冬場は温水のシャワーとすることが好ましい、犬が風邪を引かないようにするためである。
請求項８の発明は、請求項７に記載した犬の洗浄設備を単数又は複数並べてなる犬の洗浄施設と、犬を運動させたり遊ばせる広場を有する犬の運動施設とからなる犬の複合施設とする。
犬の洗浄設備を使って洗浄した犬のみを受け入れ、犬の運動施設で犬を遊ばせたり運動させるようにして、犬の運動施設の汚れを防止すると共に、犬同士の触れあいにより病気やばい菌や虫などが移ることを防止するようにしたものである。
請求項９の発明は、請求項７に記載した犬の洗浄設備を単数又は複数並べてなる犬の洗浄施設と、犬を宿泊させる施設である犬の宿泊施設とを有する犬の複合施設とする。    
犬の洗浄設備を使って洗浄した犬のみを受け入れ、犬の宿泊施設の汚れを防止すると共に、宿泊させた犬同士の触れあいにより病気やばい菌や虫などが移ることを防止するようにしたものである。
請求項１０の発明は、請求項７に記載した犬の洗浄設備を単数又は複数並べてなる犬の洗浄施設と、犬の毛を刈り込んで形よくする施設である犬のトリミング施設とを有する犬の複合施設とする。
トリミング施設ではトリマーが犬を洗うが、トリマーが犬を洗うときに本発明にかかる洗浄設備を使用すると作業負担が小さく便利である。また、トリミング施設の汚れを防止すると共に、犬同士の触れあいにより病気やばい菌や虫などが移ることを防止することが可能となるからである。
請求項１１の発明は、請求項７に記載した犬の洗浄設備を単数又は複数並べてなる犬の洗浄施設と、犬の運動施設、犬の宿泊施設及び犬のトリミング施設とを有する犬の複合施設とする。
このように構成することにより、犬と愛犬家が多目的に利用する犬の施設であって、常に犬の洗浄設備で洗浄した清潔な犬だけを受け入れることにより、飼い主が安心して利用することができる犬の多目的な施設とすることが可能となるからである。
【実施例１】
【０００９】
以下本発明の実施例１を図１〜図５に示し説明する。実施例１にかかる犬の乾燥機１は、複数の吹出口１２ａ、１２ｂを有する犬室１０と、首穴１１ｋを有する扉１１と、空気室１３と、送風機１６及びヒータ１７を有している。
犬室１０は、天井面１０ａ、床面１０ｆ及びそれぞれ２枚の上部傾斜面１０ｂ、側面１０ｃ、下部傾斜面１０ｇとからなる概略８角形の断面形状を有するものとした。そして、断面の一端を後面１０ｅとし他端を前面開口１０ｄとした。
そして、上部傾斜面１０ｂ、側面１０ｃ、下部傾斜面１０ｇ、床面１０ｆ及び後面１０ｅのそれぞれに複数の吹出口１２ａ、１２ｂを設け、できる限り犬の体全体に温風を吹き付けるように配置した。このとき、前面開口１０ｄの内側近傍であって、前面開口１０ｄと平行な面内に複数の長細い吹出口１２ａを取り付けた。
また、上部傾斜面１０ｂ、側面１０ｃ、下部傾斜面１０ｇ、床面１０ｆ及び後面１０ｅの外側を囲う空気室１３を設け、後面１０ｅの外側に設けたヒータ室１８と導通させた。そして、ヒータ室１８には電熱式のヒータ１７を取り付け、ヒータ室１８を拡大ダクト１６ｃを介して送風機１６の吹気口１６ｂに連結した。
また、空気室１３の前面１３ａに扉１１を設け、ヒンジ１１ｂと締め具１１ｃを使用して空気室の前面１３ａに対して扉１１を開閉可能に取り付けた。扉１１は扉枠１１ａに本体板１１ｄ、中間板１１ｆ及び外板１１ｈの３枚の板を重ねて取り付けた構成とした。
本体板１１ｄには、幅を２００ｍｍとし大穴の高さＢを７００ｍｍとした大穴１１ｅを設け、本体板１１ｄを扉枠１１ａに固定した。
中間板１１ｆには、中穴の上部を半径１００ｍｍの概略半円弧１１ｎとし、中穴の下部を半径７５ｍｍの概略半円弧１１ｐとし、前記上下の概略半円弧の接線である直線１１ｑで結んだ形状を有し、中穴の高さＣを４００ｍｍとした中穴１１ｇを設けた。
また、中間板１１ｆを本体板１１ｄの外側に設け、扉枠１１ａに対し上下方向にスライド可能に取り付けた。そして、中間板の下端にはストッパ１１ｍを取り付け、任意の位置に中間板１１ｆを位置決め可能な構成とした。
外板１１ｈには半径１００ｍｍの小穴１１ｊを設けることにより小穴の高さＤを２００ｍｍとし、中間板１１ｆの外側において扉枠１１ａに対し上下方向にスライド可能に取り付けた。また、外板１１ｈの下端にはストッパ１１ｍを取り付け、任意の位置に外板１１ｈを位置決め可能な構成とした。
また、犬室１０の天井面１０ａに開口１０ｈ設け、天井面１０ａの上に排気ダクト１４を取り付け、排気ダクト１４の排気口１４ｂ付近にはファン１４ａを取り付けた。さらに、犬室１０の天井面１０ａ付近に紫外線を発生する殺菌灯１５を取り付けた。
【００１０】
実施例１は上記のように構成したが、以下その作用について説明する。犬の飼い主やトリマーなど犬の乾燥機１の使用者は、扉１１を開いて犬室１０の中に犬を入れ扉１１を閉じた後に、中間板１１ｆと外板１１ｈを上下方向にスライドさせて、首穴１１ｋの高さを犬に合わせた後にストッパ１１ｍを作動させて、中間板１１ｆと外板１１ｈを位置決めして、犬に声掛けをすると犬は首穴１１ｋから顔を出す。
本実施例では、図３の（ａ）に示した、大穴１１ｅ、中穴１１ｇ及び小穴１１ｊの下端を揃えて位置決めした場合の小穴１１ｊの中心位置から、図３の（ｂ）に示した、大穴１１ｅ、中穴１１ｇ及び小穴１１ｊの上端を揃えて位置決めした場合の小穴１１ｊの中心位置までの高さＡは５００ｍｍあるので、小型犬から大型犬まで本実施例の犬の乾燥機を利用させることができる。
また、大穴１１ｅ、中穴１１ｇ及び小穴１１ｊが重なってできる開口を首穴１１ｋとし、中穴１１ｇの上部を１００ｍｍという大きな半径の概略半円弧１１ｎとし、さらに中穴１１ｇの下部を７５ｍｍという小さな半径の概略半円弧１１ｐとしたので、上部においては大きなサイズの首穴１１ｋを、下部においては小さなサイズの首穴１１ｋを得ることができる。
上部に首を出すのは大型犬であり、下部に首を出すのは小型犬であるため、下部において首穴１１ｋのサイズを小さくして、犬の首と首穴１１ｋの間にできる空間を小さくすることにより、外気や内気が流入出する量を少なくすることができるからである。
犬が首穴１１ｋから顔を出した状態で、送風機１６とファン１４ａを稼働させ、ヒータ１７を加熱させ、殺菌灯１５を点灯すると、送風機１６の吸気口１６ａから吸い込まれた空気は、吹気口１６ｂと拡大ダクト１６ｃを通ってヒータ室１８に入り、ヒータ１７によって加熱され温風となって空気室１３に流れ、吹出口１２ａ、１２ｂから犬に向かって吹き出す。  
前面開口１０ｄ内側近傍には複数の細長い吹出口１２ａを取り付けてあるので、犬室１０に格納した犬の首に向かって温風を集中して吹き付け、犬の首を乾燥させるだけでなく、首穴１１ｋの内側にエアーカーテンを構成して、外気や内気が首穴１１ｋを通って流入出することを可能な限り防ぐことができる。
犬を乾燥させた後の空気は、天井面１０ａの開口１０ｈを通過して排気ダクト１４に入り、ファン１４ａに吸引されて排気口１４ｂから排出する。ファン１４ａを取り付けたことにより、犬室１０内の空気の圧力を大気圧に近い圧力に維持することが可能となり、首穴１１ｋを通って外気や内気が流入出することを、可能な限り防止することができる。
犬を乾燥させている間に殺菌灯１５から発生した紫外線が、犬に付着したばい菌や虫などを死滅させ、さらに、犬室１０を消臭する効果も得ることができる。
【実施例２】
【００１１】
以下本発明の実施例２を図６に示し説明する。実施例２にかかる犬の複合施設７は、犬の洗台８ａとシャワー８ｂとで犬の洗場８を構成し、さらに犬の洗場８と犬の乾燥機１とで犬の洗浄設備２を構成した。
そして、４式の犬の洗浄設備２を有する犬の洗浄施設３と、犬の洗浄施設３の上に設けた犬の運動施設４と、犬の洗浄施設３の隣に設けたトリミング施設６と、トリミング施設６の上に設けた犬の宿泊施設５とからなる犬の複合施設７とした。
そして、犬の洗浄設備２を使って洗浄した犬のみを受け入れ、犬の運動施設４で犬を遊ばせたり運動させるようにし、また、犬の宿泊施設５やトリミング施設６を利用させる。
このようにすることにより、犬の運動施設４や犬の宿泊施設５やトリミング施設６の汚れを防止すると共に、犬同士の触れあいにより病気や、ばい菌や、虫などが移ることを防止することが可能となった。
以上のように、犬と愛犬家が多目的に利用する犬の複合施設７であって、常に犬の洗浄設備２で洗浄した清潔な犬だけを受け入れる施設として、飼い主が安心して利用することができる犬の複合施設７を提供することが可能となった。
【産業上の利用可能性】
【００１２】
本発明は、犬の乾燥機や洗浄設備を製造販売する産業や、犬の洗浄施設や犬の運動場や犬の宿泊施設及びトリミング施設を建設する産業に利用され、さらに犬の洗浄施設の提供や犬の運動施設の提供や犬の宿泊施設の提供及びトリミングなどのサービスを提供する用途に適用できる。
【図面の簡単な説明】
【００１３】
【図１】前方から見た犬の乾燥機の１部を破断した斜視図である。
【図２】扉を構成する本体板、中間板及び外板の斜視図である。
【図３】首穴の位置を下部と上部に位置決めした状態の正面図である。
【図４】右側面から見た犬の乾燥機の後部の１部を破断した部分側面図である。
【図５】前方から見た犬室の１部を破断した斜視図である。
【図６】犬の複合施設の斜視図である。
【符号の説明】
【００１４】
１  ：犬の乾燥機            ２  ：犬の洗浄設備          ３  ：犬の洗浄施設
４  ：犬の運動施設          ５  ：犬の宿泊施設          ６  ：トリミング施設
７  ：犬の複合施設          ８  ：犬の洗場              ８ａ：犬の洗台
８ｂ：シャワー            １０  ：犬室                １０ａ：天井面
１０ｂ：上部傾斜面          １０ｃ：側面                １０ｄ：前面開口
１０ｅ：後面                １０ｆ：床面                １０ｇ：下部傾斜面
１０ｈ：開口                １１  ：扉                  １１ａ：扉枠
１１ｂ：ヒンジ              １１ｃ：締め具              １１ｄ：本体板
１１ｅ：大穴                １１ｆ：中間板              １１ｇ：中穴  
１１ｈ：外板                １１ｊ：小穴                １１ｋ：首穴
１１ｍ：ストッパ            １１ｎ：概略半円弧          １１ｐ：概略半円弧
１１ｑ：直線                １２ａ：吹出口              １２ｂ：吹出口
１３  ：空気室              １３ａ：空気室の前面        １４  ：排気ダクト
１４ａ：ファン              １４ｂ：排気口              １５  ：殺菌灯
１６  ：送風機              １６ａ：吸気口              １６ｂ：吹気口
１６ｃ：拡大ダクト          １７  ：ヒータ              １８  ：ヒータ室
Ｂ：大穴の高さ              Ｃ：中穴の高さ              Ｄ：小穴の高さ
【図１】
2006034181.tif 000003
【図２】
2006034181.tif 000004
【図３】
2006034181.tif 000005
【図４】
2006034181.tif 000006
【図５】
2006034181.tif 000007
【図６】
2006034181.tif 000008